(57)【特許請求の範囲】
【請求項１】
キーボードのボトムケースの内底面の所々に回路基板を支持するための突部が設けられ、且つ、該突部は上段から下段に及んで順次大径に段設されて成るキーボードの回路基板支持装置に於いて、
前記突部は回路基板を装着した鉄板を位置決めして支持するように構成され、 一方、回路基板と、該回路基板を上面に装着した薄目の鉄板との夫々に、前記突部の小径の上段部に嵌入して該回路基板と薄目の鉄板とを該突部の小径の上段部に嵌入するための位置決め孔を同芯に開穿し、之等夫々の位置決め孔を該突部の小径の上段部に嵌入し、該回路基板と薄目の鉄板とを該突部の中段部上面に載置して、該回路基板をボトムケースの内底面から所定高さを有して配設されるように形成し、
更に、前記回路基板を上面に装着した厚目の鉄板には、該回路基板の前記位置決め孔と同心円であって、且つ、前記突部の中段部に嵌入するための位置決め嵌入孔が開穿され、該位置決め嵌入孔に該突部の中段部を嵌入したとき、前記回路基板に設けた前記位置決め孔は該突部の上段部に配設されており、該回路基板を装着した厚目の鉄板のみが該突部の下段部上面に載置されることにより、該回路基板は前記所定高さを有して配設されることができるように構成されたことを特徴とするキーボードの回路基板支持装置。
【発明の詳細な説明】
【０００１】
【発明の属する技術分野】
本発明はキーボードの回路基板支持装置に関するものであり、特に、回路基板としてのメンブレンを装着した鉄板の厚みの相違に拘わらず、回路基板の位置がボトムケースの内底面から一定の高さに保持されるように構成し、アッパーケースに比し高価なボトムケースを、ローエンドモデル用及びハイエンドモデル用の何れにも共用できるようにしたキーボードの回路基板支持装置に関するものである。
【０００２】
【従来の技術】
従来の此種キーボードのボトムケースの一例を図５に従って説明する。図に於て１はキーボードのボトムケースである。該ボトムケース１には、上面にメンブレン２を装着した鉄板３を位置決めするための突片４が突設され、該突片４をメンブレン２及び鉄板３に開穿した孔２ａ，３ａに挿通すると共に、該鉄板３はボトムケース１に設けたリブ５によって支持されている。
【０００３】
而して、前記鉄板３の厚みは各種存在する。即ち、図５（ａ）に示す鉄板３の厚みｔ１  は同図（ｂ）に示す鉄板３の厚みｔ２  より薄い。従って、同図（ａ）に示すリブ５の高さｈ１  は同図（ｂ）に示すリブ５の高さｈ２  より大となる。
【０００４】
【発明が解決しようとする課題】
上記従来例は、鉄板の厚みに対応してボトムケースに突設されているリブの高さが異っている。従って、従来は例えばローエンドモデル用のボトムケースとハイエンドモデル用のボトムケースの双方を各別の専用型を用いて各別に成型していた。然るときは該ボトムケースの製作費が嵩み、且つ、該ローエンドモデル又はハイエンドモデルの数量増減に対してフレシキブルに対応できない。
【０００５】
そこで、ボトムケースの製作費を節減すると共に、ローエンドモデル又はハイエンドモデルの数量増減に対してフレキシブルに対応できるようにするために解決せらるべき技術的課題が生じてくるのであり、本発明は該課題を解決することを目的とする。
【０００６】
【課題を解決するための手段】
この発明は上記目的を達成するために提案せられたものであり、キーボードのボトムケースの内底面の所々に回路基板を支持するための突部が設けられ、且つ、該突部は上段から下段に及んで順次大径に段設されて成るキーボードの回路基板支持装置に於いて、前記突部は回路基板を装着した鉄板を位置決めして支持するように構成され、一方、回路基板と、該回路基板を上面に装着した薄目の鉄板との夫々に、前記突部の小径の上段部に嵌入して該回路基板と薄目の鉄板とを該突部の小径の上段部に嵌入するための位置決め孔を同芯に開穿し、之等夫々の位置決め孔を該突部の小径の上段部に嵌入し、該回路基板と薄目の鉄板とを該突部の中段部上面に載置して、該回路基板をボトムケースの内底面から所定高さを有して配設されるように形成し、更に、前記回路基板を上面に装着した厚目の鉄板には、該回路基板の前記位置決め孔と同心円であって、且つ、前記突部の中段部に嵌入するための位置決め嵌入孔が開穿され、該位置決め嵌入孔に該突部の中段部を嵌入したとき、前記回路基板に設けた前記位置決め孔は該突部の上段部に配設されており、該回路基板を装着した厚目の鉄板のみが該突部の下段部上面に載置されることにより、該回路基板は前記所定高さを有して配設されることができるように構成されたキーボードの回路基板支持装置を提供するものである。
【０００７】
【発明の実施の形態】
以下、本発明の一実施の形態を図１乃至図４に従って詳述する。図１はキーボード１０の斜面図である。該キーボード１０はアッパーケース１１に各種のキートップ１２，１２…が配列され、そして、周辺部に於てボトムケース１３と合着されている。
【０００８】
該ボトムケース１３の内底面には、図２及び図４に示す如く、回路基板としてのメンブレン１４を上面に装着した鉄板１５を位置決めして支持するための突部１６，１６…が突設されている。
【０００９】
該突部１６は、上方から小径の円筒状上段部１６ａと、該円筒状上段部１６ａよりやゝ大径の円筒状中段部１６ｂと、該円筒状中段部１６ｂの下面より外方に向って十字状に突設された十字状下段部１６ｃとから成る。
【００１０】
而して、該突部１６の前記円筒状上段部１６ａには図４（ａ）に示す如く、上面にメンブレン１４を装着した厚さｔ１  を有する薄目の鉄板１５が嵌着せられる。即ち、該メンブレン１４及び薄目の鉄板１５に夫々同芯に開穿された位置決め孔１４ａ，１５ａを前記突部１６の円筒状上段部１６ａに嵌入して該メンブレン１４及び鉄板１５が前記円筒状中段部１６ｂ上に載置され、そして、位置決めされてボトムケース１３の内底面から高さｈ１  を有して配設される。
【００１１】
又、図４（ｂ）に示す如く、前記メンブレン１４を装着した厚さｔ２  を有する厚目の鉄板１５には、メンブレン１４に開穿された前記位置決め孔１４ａと同心円であって、且つ、前記円筒状中段部１６ｂを嵌入するための位置決め嵌入孔１５ｂが開穿されている。
【００１２】
そこで、該厚目の鉄板１５に開穿した該位置決め嵌入孔１５ｂに前記円筒状中段部１６ｂを嵌入したとき、該メンブレン１４に設けた前記位置決め孔１４ａに前記円筒状上段部１６ａが挿入し、該メンブレン１４及び鉄板１５が前記十字状下段部１６ｃ上に載置され、そして、位置決めされてボトムケース１３の内底面から高さｈ２  を有して配設される。又、該十字状下段部１６ｃは円筒状であってもよく、特にその形状は特定せらるべきではない。唯、十字状に形成することによって無駄な材料費及び余分なスペースを節減することができる。
【００１３】
本発明の一実施の形態は叙述せる如き構成に係るから、アッパーケースに比し高価なボトムケース１３をローエンドモデル用及びハイエンドモデル用の何れにも共有することが可能となり、従って、各モデルの数量の増減に対してフレキシブルに対応することが可能となる。
【００１４】
又、前記鉄板１５の厚みが２種以上に及んで存在している場合は、該ボトムケース１３の内底面の他の任意の個所に該各種の鉄板の厚みに対応した段部を有する突部を設けておくことで解決せられ、又、ワッシャ状のスリーブを加えることにより、多少の鉄板の厚み変更は可能となる。
【００１５】
尚、本発明は、本発明の精神を逸脱しない限り種々の改変を為すことができ、そして、本発明が該改変されたものに及ぶことは当然である。
【００１６】
【発明の効果】
本発明は上記一実施の形態で詳述せる如く、ボトムケースの内底面上に、厚みの異なる鉄板に対応して上段から下段に及んで順次大径に形成された突部が突設されており、そして、薄目の鉄板の場合は該鉄板及び該鉄板上面に装置された回路基板に、夫々開穿された位置決め孔に該突部の上段部を挿入して該回路基板及び薄目の鉄板を突部の中段部上面に載置することにより、該回路基板及び薄目の鉄板をボトムケース内底面から所定の高さに位置して配設することができる。又、これより厚目の鉄板の場合は、回路基板の位置決め孔は前記突部の上段部に挿入されて位置決めされるが、該厚目の鉄板は該厚目の鉄板に開穿した位置嵌入孔に該突部の中段部が挿入し、そして、該回路基板及び厚目の鉄板が該突部の下段部の上面に載置される。斯くして、回路基板はボトムケース内底面から、前記薄目の鉄板上に装着した回路基板の高さと同一高さを有して該ボトムケース内底面上に配設される。従って、鉄板の厚みの相違に拘わらずメンブレンの位置がボトムケースの内底面から一定の高さに保持されるので、何れの場合でもキートップによる打鍵操作を可能としている。
【００１７】
斯くして、ボトムケースはローエンドモデル又はハイエンドモデルの双方に共用化することができ、従来のように鉄板の厚みの相違によって各別の専用型を起工する必要がなくなり、従って、高価なボトムケースのコストダウンが図られると共に、該ローエンドモデル又はハイエンドモデルの数量の増減に対してもフレキシブルに対応することが可能となる等、正に著大なる効果を奏する発明である。
【図面の簡単な説明】
【図１】キーボードの斜面図。
【図２】本発明の一実施の形態を示し、ボトムケースの斜面図。
【図３】図２のＡ−Ａ線断面図。
【図４】（ａ）本発明のボトムケース上に突設された突部に薄目の鉄板を取付けた状態を示す一部切欠縦断面図。
（ｂ）同厚目の鉄板を取付けた状態を示す一部切欠縦断面図。
【図５】（ａ）従来例のボトムケース上に薄目の鉄板を取付けた状態を示す一部切欠縦断面図。
（ｂ）同厚目の鉄板を取付けた状態を示す一部切欠縦断面図。
【符号の説明】
１０        キーボード
１３        ボトムケース
１４        メンブレン
１４ａ      位置決め孔
１５        鉄板
１５ａ      位置決め孔
１５ｂ      位置決め嵌入孔
１６        突部
１６ａ      円筒状上段部
１６ｂ      円筒状中段部
１６ｃ      十字状下段部
【図１】
0003577915.tif 000002
【図２】
0003577915.tif 000003
【図３】
0003577915.tif 000004
【図４】
0003577915.tif 000005
【図５】
0003577915.tif 000006